(57)【特許請求の範囲】
【請求項１】
握り手（２）の一端に、周方向の一部において上端が開口する挿入口（１３ａ）と、該挿入口（１３ａ）の奥部に周方向へ切欠してなる係止溝（１３ｂ）を設け、握り手（２）の内側には嵌合金具（３）を軸方向に移動可能に設けるとともに、該嵌合金具（３）の周方向の一部に内側へ突出する係止突部（１０）を設け、前記嵌合金具（３）の内側には押え金具（１１）を軸方向へ移動可能に設け、前記嵌合金具（３）と前記押え金具（１１）を前記握り手（２）の一端側へ付勢し、握り手（２）の他端側には、故障点探査装置（４０）のリード線（４１）に備えた連結金具（４２）を介して該リード線（４１）と接続可能な端子（１４）を設け、前記端子（１４）と前記嵌合金具（３）とを電気的に接続し、地中配電線路用のカットアウトヒューズ（３１）の端子金具（３２）に設けた第２係止突起（３４）を前記握り手（２）に形成した挿入口（１３ａ）より挿入して握り手（２）を回転することにより前記係止突起（３４）を前記係止溝（１３ｂ）に係止でき、また、架空配電線路用のカットアウト（２１）のヒューズ筒下部金具（２２）に設けた第１係止突起（２４）を前記嵌合金具（３）の係止部以外の部分より嵌合金具（３）内へ挿入して握り手（２）を回転することにより、係止突起（２４）を嵌合金具（３）の係止突部（１０）の下面に係止できるようにしたことを特徴とする接続アダプタ。
【発明の詳細な説明】
【０００１】
【発明の属する技術分野】
本発明は配電線路の故障点を探査する時に使用する故障点探査装置の探査信号を故障高圧配電線路に注入する為に使用する接続アダプタに関するもので、より詳しくは配電線路に既設されている機器に接続するためのアダプタに関するものである。
【０００２】
【従来の技術】
三相高圧配電線路に地絡等の故障が発生した場合、変電所に設置されている保護継電装置等により自動的に故障区間の配電線路部が健全区間より切り離され、故障区間部分のみが停電している状態となる。
【０００３】
その後、作業員が現地に急行し、故障線路を速やかに復旧させるため、故障点探査装置を用いた故障箇所の発見作業が行われる。
【０００４】
故障点の探査に使用される故障点探査装置、リード線等の機材は、普段、電力会社の営業所等にリード線類を通い袋に収納した状態で常備されており、上記故障の際、車両に積載して故障区間線路に運搬される。
【０００５】
故障区間線路においては、図８に示すように、運搬してきた故障点探査装置４０を地上などに置き、通い袋から取り出したリード線４１を前記故障点探査装置４０並びに配電線路に接続する。
【０００６】
そして、故障点探査装置４０で発生させた探査信号を三相配電線路の各相に注入し、検出器で故障点に流れる電流等を検出して故障点の探査を行う。
【０００７】
このような故障点の探査において、故障点探査装置４０の探査信号用リード線４１を三相配電線路の各相に接続する方法として、従来、次のような方法が採用されている。
【０００８】
▲１▼電線の被覆を剥ぎ、露出させた芯線部にクランプ式の接続アダプタを締め付けて接続する方法。
【０００９】
▲２▼電線把持部に針状電極を設けた工具を電線被覆の上から締め付け、針状電極が電線芯線部と接触して通電する方法。
【００１０】
▲３▼電線引留碍子部の引留クランプ金具にクランプ式の接続アダプタを締め付けて接続する方法。
【００１１】
▲４▼高圧カットアウトのヒューズ筒を取り外し、その部分へヒューズ筒に似せた形状の接続アダプタを取り付けて通電させる方法。
【００１２】
また、地中配電線路においても、前記の架空配電線路と同様に事故点探査が行われ、前記と同様に故障点探査装置のリード線を配電線路に接続している。
【００１３】
【発明が解決しようとする課題】
前記従来の接続アダプタにおいて、電線の被覆を剥ぐ方法においては、その剥ぎ採った部分を修復する必要がある。
【００１４】
更に、従来の接続アダプタは、例えば前記のような架空配電線路用と地中配電線路用とは夫々専用に形成されており、１個の接続アダプタを兼用することができなかった。
【００１５】
更に、接続アダプタとリード線が一体であるため、リード線が絡みやすく、作業がし難いという問題がある。
【００１６】
更に、接続アダプタとリード線との接続部分において、接続作業時の接続アダプタの重量が重いための負担と、通い袋への収納時のリード線湾曲による負担とによりリード線が断線しやすく、断線した場合には修理期間が長くかかり、また修理費用も高いという問題がある。
【００１７】
そこで本発明は、架空配電線路と地中配電線路の両方に兼用でき、かつ、前記の問題を解消する接続アダプタを提供することを目的とするものである。
【００１９】
【課題を解決するための手段】
請求項１記載の第１の発明は、握り手（２）の一端に、周方向の一部において上端が開口する挿入口（１３ａ）と、該挿入口（１３ａ）の奥部に周方向へ切欠してなる係止溝（１３ｂ）を設け、握り手（２）の内側には嵌合金具（３）を軸方向に移動可能に設けるとともに、該嵌合金具（３）の周方向の一部に内側へ突出する係止突部（１０）を設け、前記嵌合金具（３）の内側には押え金具（１１）を軸方向へ移動可能に設け、前記嵌合金具（３）と前記押え金具（１１）を前記握り手（２）の一端側へ付勢し、握り手（２）の他端側には、故障点探査装置（４０）のリード線（４１）に備えた連結金具（４２）を介して該リード線（４１）と接続可能な端子（１４）を設け、前記端子（１４）と前記嵌合金具（３）とを電気的に接続し、地中配電線路用のカットアウトヒューズ（３１）の端子金具（３２）に設けた第２係止突起（３４）を前記握り手（２）に形成した挿入口（１３ａ）より挿入して握り手（２）を回転することにより前記係止突起（３４）を前記係止溝（１３ｂ）に係止でき、また、架空配電線路用のカットアウト（２１）のヒューズ筒下部金具（２２）に設けた第１係止突起（２４）を前記嵌合金具（３）の係止部以外の部分より嵌合金具（３）内へ挿入して握り手（２）を回転することにより、係止突起（２４）を嵌合金具（３）の係止突部（１０）の下面に係止できるようにしたことを特徴とするものである。
【００２０】
【発明の実施の形態】
本発明の好ましい実施の形態を図に示す実施例に基づいて説明する。
【００２１】
図４において、接続アダプタ１を構成する握り手２は、合成樹脂材からなる筒状で、図の実施例では両端が開口する円筒状に形成されている。該握り手２の材質は本実施例の他、ステンレス鋼、アルミ合金等の金属にて製作し、その外面の全部或いは一部を絶縁体で被覆するなどの構造でもよい。
【００２２】
前記握り手２の内側上部には、筒状の、図の例では円筒状の嵌合金具３が握り手２の軸方向に摺動可能に嵌合されて備えられており、該嵌合金具３は、金属製の導電材料で形成され、かつ、下部には係合穴３ａが形成されている。握り手２内の略中央部には保持部材４が、ねじ５により固設されており、該保持部材４と前記嵌合金具３間に付勢手段である第１バネ６が圧縮介在され、嵌合金具３を常時図４の上方へ付勢している。
【００２３】
握り手２の上部には、上下端が閉塞した長穴７が軸方向に形成されている。更に、握り手２の上部外周には、上下端が開口する筒状で、かつ、合成樹脂材からなるガイド８が軸方向に摺動可能に嵌合され、該ガイド８と前記嵌合金具３が握り手２を挟むように配置されている。更に、ガイド８にはねじ９が固着され、該ねじ９が前記握り手２の長穴７を貫通するとともにその先部が嵌合金具３の前記係合穴３ａに嵌合係止しており、ねじ９が長穴７の上端に係止することにより嵌合金具３が握り手２より上方へ抜け外れないようになっているとともに、嵌合金具３がねじ７とともに図４において下降へ、すなわち、握り手２内へ没入できるようになっている。
【００２４】
前記嵌合金具３の上部には、図５（ａ）に示すように、該嵌合金具３を外側から内側へ押し曲げてなる第１係止手段を構成する係止突部１０が周方向の一部において形成されている。すなわち、該係止突部１０は、嵌合金具３の一般内面３ｂの内径よりも小径の係止部１０ａと、該係止部１０ａの下面で形成された係止面１０ｂと、該係止面１０ｂの一端側において下方へかつ内側へ突出したストッパ部１０ｃとで形成されている。更に、該係止突部１０は、嵌合金具３の周方向において１８０度離れて、かつ、嵌合金具３の軸芯を中心として点対称に２ヶ所形成されている。
【００２５】
図６に示す架空配電線路に使用される架空配電線路用のカットアウト２１には、ヒューズ筒２３を備えたヒューズ筒下部金具２２が設けられており、該ヒューズ筒下部金具２２の下部外周には、周知の第１係止突起２４が、周方向に１８０度離れて形成されている。２５はヒューズを示す。
【００２６】
そして、図５（ａ）において、嵌合金具３を上動して一般内面３ｂにおいて第１係止突起２４を通過させた後、握り手２とともに嵌合金具３を図５（ａ）の矢印Ａ方向へ回転することにより、第１係止突起２４が係止部１０ａの係止面１０ｂに係止し、かつ、ストッパ部１０ｃで回転が規制されるようになっている。
【００２７】
図４において、前記嵌合金具３の内側には、押え金具１１が軸方向に移動可能に備えられており、該押え金具１１の係止段部１１ａが、前記係止突部１０の係止面１０ｂに係止して、上方への抜け外れが阻止されるようになっている。更に、該押え金具１１と前記保持部材４との間には付勢手段である第２バネ１２が圧縮介在され、該第２バネ１２により押え金具１１が常時、図４において上方へ付勢されている。この押え金具１１は、図の実施例では筒状に形成したが、板状であってもよく、また、材質としては金属や樹脂などを使用する。
【００２８】
前記握り手２の上部には、図５（ｂ）に示すように前記係止突起１０の形成位置から周方向に略９０度離れた位置において、上端が開口する挿入口１３ａと、該挿入口１３ａから軸方向の奥部、すなわち、図５（ｂ）において下方に位置して周方向へ切欠した係止溝１３ｂとからなる係止穴１３が形成されている。該係止穴１３は第２係止手段を構成する。
【００２９】
次に、地中配電線路の地上設置型変圧器塔に設置された図７に示す地中配電線路用のカットアウトヒューズ３１には、端子金具３２が設けられており、その外周部には、端子外筒３３が備えられている。該端子金具３２の外径は前記握り手２の内周に嵌合できる径に設定され、更に、該端子金具３２の下端外周面には図５（ｂ）に示すように第２係止突起３４が突設されている。
【００３０】
そして、図５（ｂ）に示すように、前記握り手２の挿入口１３ａを前記第２係止突起３４に位置させて図５（ｂ）において上動し、第２係止突起３４が挿入口１３ａ内に入った後に、握り手２を矢印Ａ方向に回転することにより、第２係止突起３４が係止溝１３ｂに嵌入係合し、かつストッパ部１３ｃで回転が規制されるようになっている。
【００３１】
図４において１４は端子で、その先端に雄ねじ１４ａが刻設され、該雄ねじ１４ａを前記保持部材４に刻設した雌ねじ４ａに螺合して握り手２に備えられている。更に、該端子１４には係止溝１５が形成され、図８に示すような故障点探査装置４０からのリード線４１を連結具４２を介して端子１４に取り外し可能に連結できるようになっている。そして、この連結により、故障点探査装置４０は、リード線４１、端子１４、第１バネ６、嵌合金具３に電気的に接続され、更に、嵌合金具３から前記のように接続される架空配電線路用のカットアウトのヒューズ筒下部金具２２の電極や地中配電線路用のカットアウトヒューズ３１の端子金具３２に電気的に接続される。
【００３２】
なお、前記端子１４から嵌合金具３への電気的接続は前記の実施例に限らず、導体で接続する構造であればよい。
【００３３】
前記握り手２の外周面には図１に示すように滑り止め加工１６が施されている。更に図２に示すように握り手２の背面には架空配電線路用のカットアウトのヒューズ筒２２のヒューズ２５が溶断した場合に、ヒューズ溶断により発生する放出ガスを作業者の反対側へ逃すための放出口１７が形成されている。更に、図１に示すように、接続アダプタ１の外面には、挿入位置表示、取付方向表示等の表示が施してある。その他の説明等を文字、図記号、色等で表示してもよい。
【００３４】
更に、握り手２には落下防止用の止め具４３が設けられており、該止め具４３により接続アダプタ１とリード線を連続し、接続アダプタ１やリード線４１が地上へ落下することを防止するようになっている。
【００３５】
次に、本発明の接続アダプタ１の使用について説明する。
【００３６】
図６は接続アダプタ１を架空配電線路用のカットアウトに使用する場合を示す。
【００３７】
この接続に際しては、先ず接続アダプタ１の握り手２を作業者が手に持って、その嵌合金具３の一般内面３ｂを、架空配電線路用のカットアウト２１におけるヒューズ筒下部金具２２の第１係止突起２４に位置させて接続アダプタ１を押し上げる。これにより、押え金具１１がヒューズ筒２３に押され、第２バネ１２を圧縮して下方へ移動し、前記係止突起２４が嵌合金具３の一般内面３ｂ部より挿入される。
【００３８】
次に、握り手２を図５（ａ）の矢印Ａ方向へ１／４回転する。この回転により第１係止突起２４が係止突部１０の係止面１０ｂに係止するとともにストッパ１０ｃに当り停止し、接続アダプタ１がヒューズ筒下部金具２２に機械的及び電気的に接続される。このとき、第２バネ１２の圧縮により、嵌合金具３とヒューズ筒下部金具２２の係止突部２４に適正な接圧が発生し、振動等が加わっても外れることがなく、常に良好な接触状態を保つことができる。
【００３９】
そして、前記の接続を行った後、端子１４にリード線４１を係止接続する。
【００４０】
接続アダプタ１をヒューズ筒下部金具２２より外す場合には、前記と逆の操作で行う。
【００４１】
次に、本発明の接続アダプタ１を地中配電線路に使用されている地上設置型変圧器塔のカットアウトヒューズへ接続する場合について説明する。
【００４２】
この接続に際しては、先ず、接続アダプタ１の握り手２を作業者が手に持って、その握り手２に形成した係止穴１３の挿入口１３ａを、地中配電線路用のカットアウトヒューズ３１のヒューズ端子金具３２に形成された第２係止突起３４に位置させて接続アダプタ１を押し上げる。これにより、嵌合金具３と押え金具１１が第１バネ６及び第２バネ１２を圧縮して握り手２内へ押し込まれ、第２係止突起３４が挿入口１３ａ内に入る。また、ガイド８は地中配電線路用のカットアウトヒューズ３１の端子外筒３３によって下方へ押される。
【００４３】
次に、握り手２を図５（ｂ）の矢印Ａ方向へ回転すると、第２係止突起３４が係止溝１３ｂ内に入ってストッパ１３ｃに当り、接続アダプタ１と地中配電線路用のカットアウトヒューズ３１の端子金具３２が機械的、電気的に接続される。このとき、第２バネ１２の圧縮による押え金具１１と端子金具３２との圧接及び第１バネ６の圧縮による嵌合金具３と端子金具３２との圧接、端子金具３２と握り手２との圧接、更には、ガイド８と端子外筒３３との圧接により、振動等が加わっても前記の接続状態が外れることなく、常に良好な接触状態を保つことができる。
【００４４】
そして、前記の接続を行った後、端子１４にリード線４１を係止接続する。
【００４５】
なお、前記の第１バネ６及び第２バネ１２は付勢手段であればよく、実施例のコイルバネに限らず、板バネやゴム体等の弾性体を使用してもよい。
【００４６】
以上のように、接続アダプタ１を架空配電線路用のカットアウトや地中配電線路用のカットアウトに接続するのみで、これらと故障点探査装置を電気的に接続できるため、既設のヒューズ筒を取り外す作業が不要になる。また、前記従来のように電線の被覆を剥ぎ取る必要もない。
【００４７】
更に、接続アダプタ１の端子１４にリード線４１を分離可能に接続する構造としたので、使用時に、接続アダプタ１とリード線４１を別々に通い袋へ収納でき、通い袋内への収納時や接続作業時において、リード線の絡みを容易に外すことができ、作業性が向上する。
【００４８】
また、前記のような構造であるため、架空配電線路に設けられた複数の架空配電線路用のカットアウトや地中配線線路に設けられた複数の地中配電線路用のカットアウトヒューズにおいても、１つの接続アダプタで故障点探査作業が行える。
【００４９】
【発明の効果】
本発明の接続アダプタによれば、架空配電線路、地中配電線路に多数使用されている機器に兼用して接続できるため、１つの接続アダプタで高圧配電線路全てに使用でき、機材の煩雑化を防止できる。
【００５０】
更に、既設ヒューズ筒を取り外す作用、取り外したヒューズ筒の保管が不要となる。更に、通い袋への収納作用、リード線の絡みを取る作業もしやすくなり、作業時間が短縮され、作業性が向上する。
【００５１】
更に、作業時及び通い袋への収納時のリード線への負担が無く、断線を防止できるため、断線した場合の修理費用等の損失防止ができる。
【図面の簡単な説明】
【図１】  本発明の実施例の接続アダプタを示す正面図。
【図２】  同じく背面図。
【図３】  同じく拡大平面図。
【図４】  本発明の接続アダプタの縦断面図。
【図５】  （ａ）は図４における嵌合金具と架空配電線路用のカットアウトのヒューズ筒下部金具を示す斜視図、（ｂ）は図４における握り手と地中配電線路用のカットアウトヒューズの端子金具を示す斜視図。
【図６】  本発明の接続アダプタを架空配電線路用のカットアウトへ接続した状態を示す縦断面図。
【図７】  本発明の接続アダプタを地上設置型変圧器塔の地中配電線路用のカットアウトヒューズへ接続した状態を示す縦断面図。
【図８】  故障点探査装置の使用状態を示す概念図。
【図１】
0004074773.tif 000002
【図２】
0004074773.tif 000003
【図３】
0004074773.tif 000004
【図４】
0004074773.tif 000005
【図５】
0004074773.tif 000006
【図６】
0004074773.tif 000007
【図７】
0004074773.tif 000008
【図８】
0004074773.tif 000009